(57)【要約】【課題】            従来は、据え置き部の上面に下部横棒の受溝が形成されているため必然的にその据え置き部、強いては長尺部の厚さが受溝の深さ以上に必要となり、この厚さのため、躓いたり、物が衝突したりして怪我や製品破損の原因となっていたという点である。【解決手段】        ワイヤーで略矩形に形成した枠体を有し、その枠体に複数本の縦棒を所定間隔で並設固定し、前記した枠体の下方寄りに補強用の横棒を固定しており、前記枠体の下部横棒及び補強用の横棒に対し、支持脚を取り付けてあるフェンスであって、その支持脚は頂部に補強用の横棒の受溝を形成し、その受溝と直線上の位置に枠体の下部横棒の受溝を形成してあるフェンス用支持脚において、前記した枠体の下部横棒の受溝は、支持脚の底面に形成されていることとする。【選択図】          図６
2020193465.tif 000002
【特許請求の範囲】
【請求項１】
ワイヤーで略矩形に形成した枠体を有し、その枠体に複数本の縦棒を所定間隔で並設固定し、前記した枠体の下方寄りに補強用の横棒を固定しており、前記枠体の下部横棒及び補強用の横棒に対し、支持脚を取り付けてあるフェンスであって、その支持脚は頂部に補強用の横棒の受溝を形成し、その受溝と直線上の位置に枠体の下部横棒の受溝を形成してあるフェンス用支持脚において、前記した枠体の下部横棒の受溝は、支持脚の底面に形成されていることを特徴とするフェンス用支持脚。
【請求項２】
前記した補強用の横棒の受溝及び枠体の下部横棒の受溝は各々平行に二つ形成されていることを特徴とする請求項１に記載のフェンス用支持脚。
【請求項３】
前記した補強用の横棒の受溝は開口部が支持脚の側面に形成され屈曲形成されており、その補強用の横棒の受溝の上部には嵌め付けガイド兼抜け止め用となる庇部が形成されていることを特徴とする請求項１または２に記載のフェンス用支持脚。
【請求項４】
底面の一方側にフェンスの転倒防止用の延長板が着脱自在に取り付けられていることを特徴とする請求項１から３のうち１項に記載のフェンス用支持脚。
【請求項５】
底面及び前記した延長板の底面には滑り防止部材を備えていることを特徴とする請求項４に記載のフェンス用支持脚。
【請求項６】
延長板を枠体の下部横棒と補強用の横棒の間に挿入し、延長板が取り付けられた側の下部横棒の受溝に下部横棒を嵌め、その下部横棒を軸として支持脚を回動させ、前記した下部横棒の受溝と、その上方に形成されている補強用の横棒の受溝の開口を補強用の横棒と対応させ、その補強用の横棒を頂面の補強用の横棒の受溝に押し込み嵌め付けることを特徴とするフェンス用支持脚の装着方法。
【請求項７】
延長板が取り付けられていない側の第二の下部横棒の受溝に第二フェンスの下部横棒を嵌め込み、その下部横棒を軸として支持脚を回動させ第二の下部横棒の受溝と、その上方に形成されている第二の補強用の横棒の受溝の開口を補強用の横棒と対応させ、その補強用の横棒を第二の補強用の横棒の受溝に押し込み嵌め付けることを特徴とする第二フェンスをジョイントさせるためのフェンス用支持脚の装着方法。
【発明の詳細な説明】
【技術分野】
【０００１】
本発明はフェンスの支持脚及びその装着方法に関し、主として壁と壁の間、壁と引き戸の間等に設置することでペット、特に犬の通行、強いては所定スペースへのペットの侵入を防止する為のフェンスを設置するための支持脚及びその装着方法に関する。
【背景技術】
【０００２】
従来、係る支持脚として特許第５７７１４７４号に記載されたものが知られている。この従来の支持脚は、一方側をペット側へのフェンス転倒防止のため長尺部とした据え置き部と、その据え置き部の上面に形成された立壁部とより構成されており、この立壁部の頂面に補強用の横棒の受溝を形成し、立壁部の一部に形成した切り欠きの下方に、補強用の横棒の受溝と直線上となる下部横棒の受溝が形成されている。即ち、下部横棒の受溝は据え置き上部の上面に形成されることとなる。
【０００３】
従来のフェンス用支持脚は、上記したように据え置き部の上面にフェンスの下部横棒の受溝が形成されている。そのため、据え置き部はどうしてもその受溝形成の為厚さが必要となる。この厚さのため、実際の使用時に、足を引っ掛けたり、物が衝突したりして、怪我をしたり、製品の破損の原因となっていた。また、この厚さのため、支持脚自体の重量も大きなものとなっており、フェンスの枠体の下部横棒と設置場所との間に大きめのスペースが形成されてしまい、小形のペット、例えばウサギやモルモット、リス等はそこから抜け出てしまう虞があった。これは、フェンスの縦棒間の間隔が広いことでも生じてしまう。
【０００４】
さらに、従来の支持脚は、その構造から、フェンスへの装着作業が面倒で、二つの受溝に対し、補強用の横棒及び下部横棒を同時に押し込むため、パワーを必要とし、非力の者には困難なこととなっていた。
【先行技術文献】
【特許文献】
【０００５】
【特許文献１】特許第５７７１４７４号公報
【発明の概要】
【発明が解決しようとする課題】
【０００６】
本発明が解決しようとする問題点は、従来のフェンス用支持脚は、据え置き部の上面に下部横棒の受溝が形成されているため必然的にその据え置き部、強いては長尺部の厚さが受溝の深さ以上に必要となり、この厚さのため、躓いたり、物が衝突したりして怪我や製品破損の原因となっていたという点である。
【０００７】
また、支持脚自体の重量も嵩み、その構造からフェンスへの装着作業も補強用の横棒と下部横棒を同時に押し込み嵌めるというパワーを必要とするものとなっていたという点である。
【課題を解決するための手段】
【０００８】
上記した問題点を解決するため、本発明に係るフェンス用支持脚は、ワイヤーで略矩形に形成した枠体を有し、その枠体に複数本の縦棒を所定間隔で並設固定し、前記した枠体の下方寄りに補強用の横棒を固定しており、前記枠体の下部横棒及び補強用の横棒に対し、支持脚を取り付けてあるフェンスであって、その支持脚は頂部に補強用の横棒の受溝を形成し、その受溝と直線上の位置に枠体の下部横棒の受溝を形成してあるフェンス用支持脚において、前記した枠体の下部横棒の受溝は、支持脚の底面に形成されていることを特徴としている。
【０００９】
また、本発明に係るフェンス用支持脚は、前記した補強用の横棒の受溝及び枠体の下部横棒の受溝は各々平行に二つ形成されていることを特徴とし、前記した補強用の横棒の受溝は開口部が支持脚の側面に形成され屈曲形成されており、その補強用の横棒の受溝の上部には嵌め付けガイド兼抜け止め用となる庇部が形成されていることを特徴とし、底面の一方側にフェンスの転倒防止用の延長板が着脱自在に取り付けられていることを特徴とし、底面及び前記した延長板の底面には滑り防止部材を備えていることを特徴としている。
【００１０】
さらに、本発明に係るフェンス用支持脚の装着方法は、延長板を枠体の下部横棒と補強用の横棒の間に挿入し、延長板が取り付けられた側の下部横棒の受溝に下部横棒を嵌め、その下部横棒を軸として支持脚を回動させ、前記した下部横棒の受溝と、その上方に形成されている補強用の横棒の受溝の開口を補強用の横棒と対応させ、その補強用の横棒を頂面の補強用の横棒の受溝に押し込み嵌め付けることを特徴としている。
【００１１】
また、本発明に係るフェンス用支持脚の装着方法は、延長板が取り付けられていない側の第二の下部横棒の受溝に第二フェンスの下部横棒を嵌め込み、その下部横棒を軸として支持脚を回動させ第二の下部横棒の受溝と、その上方に形成されている第二の補強用の横棒の受溝の開口を補強用の横棒と対応させ、その補強用の横棒を第二の補強用の横棒の受溝に押し込み嵌め付けることを特徴としている。
【発明の効果】
【００１２】
本発明に係るフェンス用支持脚及びその装着方法は上記したように構成されている。そのため、支持脚本体の頂面と底面に各々受溝が形成されていることとなり、フェンス転倒防止用の延長板は必要に応じて着脱自在となるので、その延長板は極めて薄いもので済み、躓いたり、物が衝突してしまう虞はない。加えて、枠の下部横棒と設置面との隙間も小さくなり、小動物がすり抜けてしまう虞もなくなる。
【００１３】
また、その支持脚の装着も下部横棒を軸としての回動作業により、補強用の横棒の押し込み嵌め込みの作業となるため、簡易で格別なパワーも要求されることはなく、支持脚自体の重量も軽量化することができる。
【図面の簡単な説明】
【００１４】
【図１】本発明に係る支持脚を装着したフェンスの斜視図である。
【図２】同じくフェンスをジョイントした状態の斜視図である。
【図３】支持脚のフェンスへの装着方法の第一ステップを示す図である。
【図４】同じく第二ステップを示す図である。
【図５】同じく第三ステップを示す図である。
【図６】同じく第四ステップ（終了）を示す図である。
【図７】第二フェンスをジョイントする装着方法の第一ステップを示す図である。
【図８】同じく第二ステップを示す図である。
【図９】同じく第三ステップを示す図である。
【図１０】同じく第四ステップ（終了）を示す図である。
【図１１】支持脚を示す正面図である。
【図１２】同じく第二実施例を示す正面図である。
【図１３】同じく第三実施例を示す正面図である。
【図１４】同じく第四実施例を示す斜視図である。
【図１５】同じく第五の実施例を示す斜視図である。
【図１６】同じく正面図である。
【図１７】第二フェンスをジョイントする装着方法の要部を示す斜視図である。
【図１８】同じく第二ステップの要部を示す斜視図である。
【図１９】同じく終了状態の要部を示す斜視図である。
【発明を実施するための形態】
【００１５】
図面として示し、実施例のように構成したことで実現した。
【実施例１】
【００１６】
次に、本発明の好ましい実施の一例を図面を参照して説明する。これらの図にあって１はフェンスを示している。このフェンス１はワイヤーを素材として成形されており、角丸で略矩形とした枠体２を有しており、この枠体２の下部横棒３に下端を上部横棒４に上端を各々熔着されて複数本の縦棒５、５‥が所定間隔で並設固定されている。この縦棒５、５‥の間隔は従来のものより小さくしており、小動物のすり抜けを防止している。この縦棒５、５‥もワイヤーで成形されているが、枠体２を形成するワイヤーよりもやや細径のものが使用されている。
【００１７】
このフェンス１の下部横棒３寄りにはワイヤーにより補強用の横棒６が、その両端を枠体２の縦棒に、その途中を縦棒５、５‥に各々熔着し、枠体２の下部横棒３と平行に設けられている。この補強用の横棒６は枠体２を形成するワイヤーと同等の径のものとなっている。
【００１８】
また、図中７、７はフェンス１を支持する支持脚を示している。この支持脚７は正面から見て略台形に形成され縦棒５、５間の隙間を通過可能な一定の厚さを有する平板で成形されており、その底面には枠体２の下部横棒３が嵌装される二つの受溝８、８ａが平行に形成され、頂面には前記した二つの受溝８、８ｂとその中心を直線上に位置する補強用の横棒６が嵌装される二つの受溝９、９ａが平行に形成されている。ここで各受溝８、８ａ，９、９ａの溝底面は下部横棒３、補強用の横棒６の外表面とフィットする弧状に形成されている。
【００１９】
さらに、支持脚７の底面で受溝８側にはフェンス１のペット側への転倒を防止する為の延長板１０の一端がネジ（ビス）１２、１２で着脱自在に取り付けられている。この延長板１０は極薄い板材を用いることができ、その先端はアール状として角をなくし、ペットが傷付くことがないよう図っている。受溝８側の支持脚７の底面は８ａ側よりもやや高さが小さく設計されており、延長板１０を装着することで支持脚７の底面は面一状態とされる。尚、このフェンス１への支持脚７の装着は受溝８ａと９ａを使用しても可能である（図１１参照）。
【００２０】
そして、この延長板１０の先端下面と、支持脚７の受溝８ａ側の底面には合成ゴム等で成形された滑り止め部材１１が固着されている。
【００２１】
尚、本実施例にあって、延長板１０の支持脚７への着脱は、支持脚７の底面に対してネジ（ビス）１２、１２を用いることとしているが、支持脚７の側面にスリットを形成して、延長板１０の一端を挿し込む作用、或いは延長板１０の取り付け基部をフォーク状として支持脚７の側面を挟み付ける等での着脱等とすることも可能である。
【００２２】
また、図２として示すのは、フェンス１に第二フェンス１ａを左右の幅方向で一部を重合させてジョイントさせた状態であり、一つのフェンス１では幅が不足する場合のものである。この例では第二フェンス１ａもフェンス１と同等のものを使用しているが、必要に応じて補助用として幅の小さいものを用意することも可能である。
【００２３】
このジョイント構造の場合、重合部分の支持脚７には、底面の受溝８には第二フェンス１ａの下部横棒３が、受溝８ａにはフェンス１の下部横棒３が嵌装され、頂面の受溝９には第二フェンス１ａの補強用の横棒６が、受溝９ａにはフェンス１の補強用の横棒６が嵌装されている。尚、この受溝８、８ａ，９、９ａの選択はフェンス１と第二フェンス１ａの重合状態、即ち、前後配置が入れ替わることで異なってくるのである。
【００２４】
次いで、図３乃至図６を参照して、支持脚７のフェンス１への装着方法を説明する。まず、フェンス１の下部横棒３と補強用の横棒６の間（縦棒５、５を加味すると窓孔）に予め支持脚７の底面に装着された延長板１０を、その先端から斜め上方へ向けて挿通する（図３）。そして、支持脚７を傾斜させた状態で、受溝８に対して下部横棒３を嵌め付ける。この作業はフェンス１を持ち上げることによりなされる。
【００２５】
上記した受溝８への下部横棒３の嵌め付けが終了したら、その下部横棒３を軸として支持脚７を回動させ、支持脚７の頂面の受溝９の開口を補強用の横棒６と対向させ、その補強用の横棒６を受溝９内に上方から押し込み受溝９の底部まで嵌め付ける。この押し込み嵌め付けはフェンス１自体を押し下げることによりなされる。尚、前記した下部横棒３を軸としての支持脚７の回動は受溝８の底面（上面）が下部横棒３とフィットする弧状となっているので、回動はぶれることなく摺接状態でスムーズになされる。この補強用の横棒６の受溝９の底面までの嵌め付けによって、受溝８の底面（上面）に位置していた下部横棒は下降し、受溝８内の途中で位置し、止まることとなり、支持脚７のフェンス１への装着が終了する。この作業は通例フェンス１の左右両端近くに二ヶ所行われ、フェンス１は二つの支持脚７、７によって支持される（図１参照）。
【００２６】
また、図２として示すフェンス１とフェンス１ａをジョイントする場合、そのジョイント部分に対して支持脚７の装着方法を図７乃至図１０を参照して説明する。まず受溝８にフェンス１の下部横棒３が嵌められた状態（図５の状態）から更に支持脚７を下部横棒３を軸として９０度回転させ、受溝８と隣接する受溝８ａの開口に第二フェンス１ａの下部横棒３を合わせ、その下部横棒３を受溝８ａの奥まで押し込む（図８）。この際、既に下部横棒３が受溝８に嵌められているフェンス１は受溝８の底部で下部横棒３を軸として第二フェンス１ａに押され回動し、第二フェンス１ａに対して一定の角度傾倒することとなる。尚、当初よりフェンス１を傾倒させた状態もしくは横倒しにした状態で第二フェンス１ａの下部横棒３を受溝８ａに対峙させることもできる。
【００２７】
こうして、受溝８ａに第二フェンスの下部横棒３が嵌められたら、下部横棒３を軸として支持脚７を、頂部を上向きに水平方向に回動させる。この際、回転軸は第二フェンス１ａの下部横棒３及びフェンス１の下部横棒３の二軸となり、フェンス１はこの回動によって受溝８の起立に伴なって、第二フェンス１ａと平行状態に起立する。即ち、フェンス１と第二フェンス１ａの重合部分が形成され、フェンス１及び第二フェンス１ａを押し下げることで補強用の横棒６を受溝９ａに嵌め込む。この際、フェンス１の補強用の横棒６は受溝９に嵌っていても、第二フェンス１ａの補強用の横棒６と同期して押し下げてもよい。このようにして、図２として示すフェンス１と第二フェンス１ａとのジョイントがなされる。
【００２８】
支持脚７の形態は上記した略台形をしたもののほか、図１２乃至図１４に示す形態とすることもできる。尚、これらの形態も例であって、条件を満足すれば、この形態、形状にこだわるものではない。即ち、頂面に二つの受溝が、底面にも二つの受溝が平行して、かつ、上下の受溝が直線上の配置として形成され、フェンス１の下部横棒３と補強用の横棒６を受け入れることができ、設置した際の安定性があればよい。
【００２９】
図１２として示す支持脚７ａは正面から見て全体的に矩形に形成され、受溝８、８ａ及び９、９ａは前記した支持脚７の場合と同様な位置配置で形成されている。受溝８側となる支持脚７ａの底面は８ａ側と比べ高い位置となり延長板１０を装着することで面一となる構成も支持脚７の場合と同様である。
【００３０】
また、図１３として示す支持脚７ｂは正面から見て略円形として、その下部の裾は左右に広げて設置安定のための底面を形成している。この支持脚７ｂの底面は受溝８側、８ａ側を同等の高さ位置としてあり、受溝８ａ側の底面には延長板１０を装着した際の高さ位置バランスを保持するため補充板１３が介在されている。
【００３１】
さらに、図１４として示す支持脚７ｃは外観的に審美感を増大させたもので、略円柱状の台座１４の上面中央に略球形とした受座１５が固定されている。この固定は接着でもよいが、全体として一体とされている。そして、台座１４の下面に受溝８、８ｂが形成され、受座１５の頂面に受溝９、９ａが形成されている。この支持脚７ｃの場合も、受溝８側の底面に延長板１０を装着する場合、受溝８ａ側の底面に補充板１３を介在することが好ましいが、この支持脚７ｃの構造では、フェンス１がペット側へ転倒する事故も、その支承力からほとんどなく、延長板１０は特に必要とはしないで済む。
【００３２】
また、図１５、図１６として示す支持脚７ｄは、支持脚７を変形させたもので、補強用の横棒６の受溝９、９ａの境にある仕切り壁１６の頂面に左右方向、即ち、受溝９、９ａの上面を覆うように突き出す庇部１７、１７ａが一体に形成され、その形状は正面から見てＴ字状に形成されている。尚、この庇部１７、１７ａは一方側のみとした形態でもよく、その場合形状は正面から見て逆Ｌ字状となる。この庇部１７、１７ａは補強用の横棒６の嵌入のガイドとなり、装着後は抜け止め用ともなる。この場合、受溝９、９ａの開口部分は、この庇部１７、１７ａの先端と支持脚７ｄの側面頂面との間となる。
【００３３】
図１２乃至図１６として示す支持脚７ａ、７ｂ、７ｃ、７ｄもフェンス１及び第二フェンス１ａへの装着方法は前記した場合と同等となり、回動を伴なう容易でパワーを格別に要しない作業となる。
【００３４】
加えて、図１７〜図１９にジョイント作業のより明瞭な要部斜視図を示し、前述した作業内容を示す図１７から判るように、図７〜図９で示した作業はそのフェンス１と第二フェンス１ａとの位置関係から支持脚７の回動角度は選択できるもので、フェンス１に支持脚７の装着後に、そのフェンス１に対して略直角に配備された（設置床面に倒して置かれた状態）第二フェンス１ａの下部横棒３を受溝８ａに嵌めることで開始することができる。
【産業上の利用可能性】
【００３５】
本実施例に係るフェンス用支持脚及びその装着方法は上記したように構成されている。本実施例では支持脚のデザインをシンプルなものとしてあるが、外観デザインはこれにこだわらず、変更することは可能であり、フェンス１に対して一対の支持脚の使用としているが、支持脚の底面面積を大きくして摩擦度を高めれば一つの支持脚の使用でも済むこととなる。さらに、本実施例ではフェンスの使用目的をペットとしてあるが、これにこだわらず、例えば乳幼児等の他の対象を目的として応用することもできる。
【符号の説明】
【００３６】
１    フェンス
１ａ  第二フェンス
２    枠体
３    下部横棒
４    上部横棒
５    縦棒
６    補強用の横棒
７、７ａ、７ｂ、７ｃ、７ｄ  支持脚
８、８ａ，９、９ａ  受溝
１０  延長板
１１  滑り防止部材
１２  ネジ（ビス）
１３  補充板
１４  台座
１５  受座
１６  仕切り壁
１７、１７ａ  庇部
【図１】
2020193465.tif 000003
【図２】
2020193465.tif 000004
【図３】
2020193465.tif 000005
【図４】
2020193465.tif 000006
【図５】
2020193465.tif 000007
【図６】
2020193465.tif 000008
【図７】
2020193465.tif 000009
【図８】
2020193465.tif 000010
【図９】
2020193465.tif 000011
【図１０】
2020193465.tif 000012
【図１１】
2020193465.tif 000013
【図１２】
2020193465.tif 000014
【図１３】
2020193465.tif 000015
【図１４】
2020193465.tif 000016
【図１５】
2020193465.tif 000017
【図１６】
2020193465.tif 000018
【図１７】
2020193465.tif 000019
【図１８】
2020193465.tif 000020
【図１９】
2020193465.tif 000021